(57)【要約】【課題】  矩形状布を二つ折り、重合、縫着して三角形状袋部及び当布部を形成し、布オムツを構成したもので、布オムツの折り畳み形成が容易で、且つ洗濯後の乾燥が迅速に行えるようにしたものである。【解決手段】  矩形状の布を二つ折りして、折り目方向と直角方向に同布を重合、縫着し、且つ同縫着部境界の一方側で二つ折り布を袋折りにして三角形状袋部を形成し、更に縫着部境界の他方側で、二つ折り布を幅方向に適宜に谷折りして当布部を形成し、布オムツを構成したものである。【選択図】  図１
2006280681.tif 000002
【特許請求の範囲】
【請求項１】
矩形状の布よりなる布オムツにおいて、該矩形状の布を二つ折りし、重ね合せて矩形状とし、この二つ折りした折り目と直角方向に直線状に縫合した縫目を形成し、且つ同縫着部境界の一方側で袋折りによる三角形状袋部を形成して身頃部とし、更に縫着部境界の他方側の布を前記縫目方向に沿って適宜折り重ねて当布部を形成するように構成したことを特徴とする布オムツ。
【請求項２】
当布部は、同当布部の生地をその巾の１／４の巾にて前記縫目の方向に沿って端部から谷折りし、さらに同当布部の生地をその巾の1／２の巾にて前記縫目の方向に沿って谷折りし、三つ折り状として身頃部上に折り重ね、当布部を形成するように構成したことを特徴とする請求項１記載の布オムツ。
【請求項３】
布を表側生地及び裏側生地からなる複合生地で形成し、且つ表側生地（肌面に接する側）の素材として、疎水性及び親水性を具備したポリエステル系編織物地等を用い、一方、裏側生地の素材として保水性のポリエステル系繊維等による不織布を用いるように構成したことを特徴とする請求項１〜請求項２のいずれかに記載の布オムツ。
【発明の詳細な説明】
【技術分野】
【０００１】
本発明は、矩形状の布を二つ折りし、且つ折り目と直角方向に直線状に縫合した縫目を形成し、更に同縫着部境界の一方側で三角形状袋部を形成すると共に、他方側で布を前記縫目方向に沿って適宜折り重ねて当布部を形成するようにしたもので、オムツの折り畳み形成や洗濯後の乾燥を極めて容易にした布オムツに関する。
【背景技術】
【０００２】
従来のオムツの例としては、例えば適宜の布を半折りして重合し、且つ重合生地の長手方向両端部を縫着し、更に半折りした折目の長手方向を縫着して完全に二重構造とした布オムツがみられる。
【０００３】
【特許文献１】実用新案登録第３０７０５８９号
【特許文献２】実開平６−１９７１５号公報
【発明の開示】
【発明が解決しようとする課題】
【０００４】
上記従来のオムツの場合、半折りした重合生地の長手方向両端部や折り目部分を縫着などの手段により、完全に二重構造としたために、例えば洗濯後の乾燥では、二重構造のために乾燥に多くの時間を必要とし、更に半折りした重合生地を完全に二重構造としたことにより、オムツ全体が、ゴワゴワして肌触りが悪く、着用感が低下する欠点があった。
【課題を解決するための手段】
【０００５】
本発明は、矩形状の布を二つ折りして、折り目と直角方向に半折り状布を重合、縫着し、且つ同縫着部境界の一方側の半折り状布を袋折りにして三角形状袋部を形成し、更に縫着部境界の他方側の半折り状布を縫着部中心に三つ折りして当布用重合部を形成したもので、生地の折り畳みや縫着手段を介して布オムツの組み立て、形成が容易であり、また洗濯時に布オムツの開放が容易で、且つ二重生地が１枚生地に近い状態に保持されるので、乾燥が極めて短時間に能率的に行うことができ、更に布オムツを形成する二重生地の縫着部が１ヶ所のみであるために、生地のゴワゴア感がなくなって着用感を著しく向上せしめた布オムツを構成したことを特徴とするものである。
【発明の効果】
【０００６】
本発明では、二つ折りした矩形状の布において、二つ折りした折り目と直角方向に直線状に縫合した縫目を形成し、且つ同縫着部境界の一方側を袋折りにして三角形状袋部を形成して身頃部とし、更に縫着部境界の他方側の布を前記縫目方向に沿って適宜折り重ねて当布部を形成するように構成したことにより、折り畳まれた布オムツの開放が容易であり、風通しがよくなるので、洗濯後の乾燥を極めて短時間に行うことができ、更に布オムツを形成する二重生地の縫着部が１ヶ所のみであるので、生地のゴワゴア感がなくなり、肌触りや着用感の優れた布オムツを提供できるようにしたものである。
【発明を実施するための最良の形態】
【０００７】
本発明は、二つ折りした矩形状の布において、二つ折りした折り目と直角方向に直線状に縫合した縫目を形成し、且つ同縫着部境界の一方側を袋折りにして三角形状袋部を形成して身頃部とし、更に縫着部境界の他方側の布を前記縫目方向に沿って適宜折り重ねて当布部を形成するように布オムツを構成したので、折り畳まれた布オムツの開放が容易となり、洗濯後の乾燥も極めて短時間に行うことができ、更に布オムツを形成する縫着部が１ヶ所のみであるために、生地のゴワゴア感がなくなり、肌触りや着用感の優れた布オムツを提供できるようにしたものである。以下、本発明の実施例について図例と共に説明する。
【０００８】
１は布オムツで、３は身頃部に相当する袋折りによる三角形状袋部、５は生地の折り畳みによる当布部で、同部３、５は、夫々部位Ａ−Ｃ−Ｄ−Ｆからなる矩形状生地７で一体化形成されるようにしてある。１０、１１は夫々三角形状袋部３の前方側上端縁及び後方側上端縁である。尚、図２において、矩形状生地７の生地幅（身体の胴廻り方向）、即ち部位Ａ−Ｆからなる生地幅寸法は、Ｌ＋Ｗであり、一方矩形状生地７の生地長さ（身体の身丈方向）、即ち部位Ａ−Ｃからなる生地長さ寸法は、２Ｗの長さで形成されるようにしてある。
【０００９】
また図３は、矩形状生地７の中間位置である部位Ｂ−Ｅのラインに沿って同生地７を長さ方向に二つ折り（半折り）し、重合した状態の二つ折り生地１５を示したもので、１６は折り目ラインある。更に１８は二つ折り生地１５に設けた重合縫着部で、幅方向の適宜の位置、即ち実施例では、図２の如く、部位Ｄ、Ｆの位置から夫々生地幅がＷである部位Ｇ、Ｈ並びに部位Ｅの位置から生地幅がＷである部位Ｋとを結ぶラインを重合縫着１８したものである。
【００１０】
尚、三角形状袋部３を形成する場合について述べると、二つ折り状生地１５の縫着部１８側に向かって部位Ｆ―Ｅ―Ｄを起立させ、袋折りすることにより、三角形状生地の部位Ｆ―Ｅ―Ｄ−Ｋ並びに部位Ｆ―Ｇ（Ｈ）―Ｄ−Ｋが重合され、袋折りによる三角形状袋部３が形成されるのである。
【００１１】
また当布部５を形成する場合について述べると、先ず図３の二つ折り状生地１５において、部位Ａ（Ｃ）−Ｂ−Ｋ−Ｇ（Ｈ）からなる重合状矩形生地２０の幅方向で、部位Ｇ（Ｈ）の位置から部位Ａ（Ｃ）に向けて夫々１／４Ｌ及び１／２Ｌの位置に折り目線Ｐ、Ｑを形成する手段について述べる。
【００１２】
先ず三角形状袋部３上に前記重合状矩形生地２０を図４の如く重合し、次いで
図５の如く、同重合状矩形生地２０を幅方向に二つ折りして二つ折り状重合生地２１を形成する。次いで同二つ折り状重合生地２１を更に幅方向に二つ折りして四つ折り状重合生地２２を形成すると共に、折り目線Ｐ、Ｑを夫々形成するのである。
【００１３】
次いで当布部５を形成する場合について述べると、先ず図７の如く、前記重合状矩形生地２０を縫着部１８の位置、即ち位置Ｈ、（Ｇ）から幅が１／４Ｌに相当する折り目線Ｐの位置で谷折りするのである。次いで同折り目線Ｐの位置から幅が１／２Ｌの位置、即ち前記折り目線Ｑの位置で更に谷折りすることにより、図８の如き、縫着部１８（部位Ｇ、Ｈ）の位置に幅が１／２Ｌである広幅部３０の中心が位置し、更に広幅部３０の左右の裏面側においては、内方に谷折りされ、且つ幅が１／４Ｌである細幅部３１、３２が夫々形成された当布部５が形成されるのである。
【００１４】
また図３において、二つ折り生地１５の部位Ｄ−Ｅ（Ｈ―Ｋ）と部位Ｇ−Ｆ（Ｋ―Ｅ）の長さが、夫々Ｗの長さで同一長さであり、部位Ｄ―Ｈ―Ｋ―Ｅによる矩形は、正方形であるために、当然のことながら、図９の如く、三角形状袋部３の前方側上端縁１０及び後方側上端縁１１の高さが同じであり、違和感がないために布オムツの着用感が向上するのである。
【００１５】
更に図１０は他の実施例を示したもので、二つ折り生地３５の部位Ｄ−Ｅ（Ｈ―Ｋ）の長さＷに較べて、部位Ｇ−Ｆ（Ｋ―Ｅ）の長さＷ１の方が長い場合は 、部位Ｄ―Ｈ―Ｋ―Ｅによる矩形は、長方形となり、従って図１１の如く、三角形状袋部３の前方側上端縁１０の高さがＷで、後方側上端縁１１の方の高さがＷ１で、Ｗ１とＷの寸法差だけ、後方側上端縁１１の方が高くなり、尻部の背面側がよりカバーされるので、漏れ防止に効果があり、布オムツの着用感が向上するのである。
【００１６】
図１２は、更に別の実施例を示したもので、二つ折り生地３６において、同生地３６の部位Ｄ−Ｅ（Ｈ―Ｋ）の長さＷに較べて、部位Ｇ−Ｆ（Ｋ―Ｅ）の長さＷ２の方が短い場合は 、部位Ｄ―Ｈ―Ｋ―Ｅによる矩形は、長手方向に長い長方形となり、従って三角形状袋部３の前方側上端縁１０の高さがＷで、後方側上端縁１１の方の高さがＷ２で、ＷとＷ２の寸法差だけ、前方側上端縁１１の方が高くなり、尻部の背面側がよりカバーされるので、漏れ防止に効果があり、布オムツの着用感が向上するのである。
【００１７】
また上記布オムツ１を使用する場合は、同オムツ１を尻部（股部背面側）の下側に敷いた状態で、当布部５の下辺部を股部の前身側に重合すると共に、身頃部である三角形状袋部３の両端部を当布部５上に重合して使用するようにしたものである。また上記布オムツを形成する場合、布オムツに使用する矩形生地７の大きさについては、生地幅（身体の胴廻り方向）及び生地長さ（身体の身丈方向）共に、夫々１２０ｃｍ〜１５０ｃｍの範囲が好ましく、従って矩形生地７の大きさが小さい場合は、布オムツが身体に装着しにくく、また矩形生地７の大きさが大きい場合は、布オムツ大きくなり過ぎて身体に十分密着しないために、尿漏れなどを生ずる恐れがあり、好ましくないのである。
【００１８】
更に図２において、矩形生地７は、表側生地５０及び裏側生地５１からなる複合生地で形成されており、表側生地５０は、肌側に直接接触するために、同生地５０の生地使いとしては、疎水性並びに親水性に優れた繊維で交編織された生地が好ましい。尚、疎水性繊維としては、例えば繊維の断面形状が円形などの通常の断面を有するポリエステル系繊維が好ましく,また親水性に優れた繊維としては、例えば繊維の断面形状が、星形やＬ字形、扁平形、楕円形など通常の断面とは異なる異形断面を有するポリエステル系繊維が好ましく、これら疎水性及び親水性に優れたポリエステル系繊維を適宜に交編織した編織物地を用いることが、好ましいのである。
【００１９】
また矩形状生地７の裏側生地５１としては、保水性に優れた繊維が好ましい。保水性の繊維としては、例えばポリエステル系繊維による不織布が好ましく、具体的には、ポリエステル系繊維とレーヨン系繊維と低融点ファイバーとを混合してニードルパンチしたものに低融点ファイバーの融点以上の加熱を施すことで製作した不織布が、保水性の繊維として好ましいのである。
【産業上の利用可能性】
【００２０】
本発明において、矩形状の生地を二つ折り、重合し、且つ折り目方向に対して直角方向に重合部を縫着する際、二つ折りされた生地端縁部の一部だけを部分的に縫着してもよい。また生地を三つ折り状に谷折りして当布部を形成する際、折り畳み用生地に予め折り畳み用印を適宜設けておき、同印に応じて生地を谷折りして当布部を形成するようにしてもよい。
【図面の簡単な説明】
【００２１】
【図１】本発明の実施例における布オムツの概略斜視図である。
【図２】本発明の実施例における布オムツ形成用生地の概略平面図である。
【図３】図２の布オムツ形成用生地を二つ折りして重合し、且つ折り目と直角方向に適宜縫着した状態の概略斜視図である。
【図４】三角形状袋部上に矩形状重合生地を重合した状態の当布状袋部３の前形成説明用概略斜視図である。
【図５】三角形状袋部上に二つ折りした矩形状重合生地を重合した状態の当布部形成説明用概略斜視図である。
【図６】三角形状重合生地上に四つ折りした矩形状重合生地を重合した状態の当布部形成説明用概略斜視図である。
【図７】三角形状重合生地上に矩形状重合生地を重合する際、縫着部から同生地の１／４幅の位置で、矩形状重合生地を谷折りして重合した状態の当布部形成説明用概略斜視図である。
【図８】三角形状袋部上に矩形状重合生地を重合する際、縫着部位置を中心に矩形状重合生地の左右両側で夫々谷折りして重合した状態の当布形成説明用概略斜視図である。
【図９】図１の概略平面図である。
【図１０】本発明における布オムツ形成用生地の他の実施例を示したもので、二つ折りして重合、縫着した生地において、三角形状袋部を形成する際、身丈方向の長さよりも幅方向の長さを長くした長方形状重合生地を含む布オムツ形成用生地の概略斜視図である。
【図１１】図１０の二つ折り重合、縫着した生地により形成した布オムツの概略平面図である。
【図１２】本発明における布オムツ形成用生地の他の実施例を示したもので、二つ折りして重合、縫着した生地において、三角形状袋部を形成する際、身丈方向の長さよりも幅方向の長さを短くした長方形状重合生地を含む布オムツ形成用生地の概略斜視図である。
【図１３】図１２の二つ折り重合、縫着した生地により形成した布オムツの概略平面図である。
【符号の説明】
【００２２】
１    布オムツ
３    三角形状袋部
５    当布部
７    矩形状布
１０  前方側上端縁
１１  後方側上端縁
【図１】
2006280681.tif 000003
【図２】
2006280681.tif 000004
【図３】
2006280681.tif 000005
【図４】
2006280681.tif 000006
【図５】
2006280681.tif 000007
【図６】
2006280681.tif 000008
【図７】
2006280681.tif 000009
【図８】
2006280681.tif 000010
【図９】
2006280681.tif 000011
【図１０】
2006280681.tif 000012
【図１１】
2006280681.tif 000013
【図１２】
2006280681.tif 000014
【図１３】
2006280681.tif 000015